(57)【特許請求の範囲】
【請求項１】
スクリーンを吊下支持する巻取軸の両端を支持ブラケットに回転可能に支持し、前記一方の支持ブラケットに設けたプーリーから操作コードを垂下し、前記操作コードでプーリーを回転させることによりクラッチ装置を介して巻取軸を回転させてスクリーンを昇降可能とし、前記巻取軸内には該巻取軸にスクリーン引上げ方向の回転力を付与する付勢手段を設け、前記クラッチ装置は、操作コードのスクリーン引下げ方向の操作に基づくプーリーの回転を前記巻取軸に伝達するとともに、スクリーンの引下げ操作後は付勢手段の回転力による巻取軸の回転を阻止し、前記操作コードのスクリーン引上げ方向の操作に基づくプーリーの回転により、前記付勢手段の回転力に基づいて前記巻取軸をスクリーン引上げ方向に回転可能としたロールブラインドの昇降装置において、
前記クラッチ装置は、前記巻取軸と一体に回転するクラッチケースと、前記プーリーのスクリーン引下げ方向の回転に基づいて該プーリーを前記クラッチケースと一体回転可能に連結し、前記プーリーのスクリーン引上げ方向の回転に基づいて、該プーリーを前記クラッチケースに対し自在に回転可能とする内部装置とを備え、前記付勢手段の回転力に基づくスクリーン引上げ動作時には、前記プーリーをスクリーン引上げ方向に自在に回転可能とし、
前記内部装置は、
前記クラッチケース内に形成された第一のクラッチ面と、
前記プーリーの回転に基づいて軸方向に移動するクラッチスライダーと、
前記プーリーと一体に回転するとともに前記第一のクラッチ面に係合可能とした第二のクラッチ面を備え、前記プーリーのスクリーン引下げ方向の回転に基づいて軸方向に移動する前記クラッチスライダーの動作に基づいて、前記第一のクラッチ面に第二のクラッチ面を係合させ、前記プーリーのスクリーン引上げ方向の回転に基づいて軸方向に移動する前記クラッチスライダーの動作に基づいて、前記第一のクラッチ面と第二のクラッチ面との係合を解除させる方向に移動するクラッチ部材とから構成したたことを特徴とするロールブラインドの昇降装置。
【請求項２】
前記第一及び第二のクラッチ面は、互いに噛合い可能としたクラッチ歯で構成したことを特徴とする請求項１記載のロールブラインドの昇降装置。
【請求項３】
前記プーリーとクラッチスライダーとの間には、前記第一及び第二のクラッチ面の係合が解除されたとき、所定値以下の回転トルクで互いに係合する係合手段を設けたことを特徴とする請求項１または請求項２に記載のロールブラインドの昇降装置。
【発明の詳細な説明】
【０００１】
【発明の属する技術分野】
この発明は、ロールブラインドのスクリーン昇降装置に関するものである。
【０００２】
【従来の技術】
従来、ロールブラインドのスクリーンを昇降する昇降装置の一種類として、スクリーンを巻き取る巻取軸が一対の支持ブラケット間に回転可能に支持され、一方の支持ブラケットにはプーリーが回転可能に支持され、そのプーリーには操作コードが掛装され、その操作コードを操作することにより巻取軸を回転駆動して、スクリーンを昇降可能としたものがある。
【０００３】
このようなロールブラインドのスクリーン昇降装置では、スクリーンの引上げ操作を簡便に行うために、種々の提案がなされている。
特許第２６５６１４７号公報には、スクリーン引下げ方向とは逆方向に操作コードを僅かに引くことにより、巻取軸内に配設された捩じりコイルスプリングの付勢力を利用して、スクリーンを引上げ可能とした昇降装置が開示されている。
【０００４】
また、特許第２８６０２３０号公報には、スクリーン引下げ方向とは逆方向に操作コードを僅かに引いた後は、操作コードを手放してもスクリーンを引上げ可能とした昇降装置が開示されている。
【０００５】
【発明が解決しようとする課題】
特許第２６５６１４７号公報に記載された昇降装置では、スクリーンを上限まで引上げるときには、スクリーンが上限に達するまで操作コードを僅かに引いた状態に維持する必要があるため、その操作が依然として煩雑である。
【０００６】
特許第２８６０２３０号公報に記載された昇降装置では、スクリーンの引上げ操作時には、プーリーのスクリーン引上げ方向の回転が阻止される。従って、スクリーンの引上げ操作時に操作コードを下方へ強く引くと、プーリーの回転力を巻取軸に伝達するためのクラッチ装置が破損するおそれがある。
【０００７】
この発明の目的は、スクリーンの引上げ操作を簡便に行い得るとともに、操作コードの無用な操作による破損を未然に防止し得るロールブラインドの昇降装置を提供することにある。
【０００８】
【課題を解決するための手段】
請求項１では、スクリーンを吊下支持する巻取軸の両端を支持ブラケットに回転可能に支持し、前記一方の支持ブラケットに設けたプーリーから操作コードを垂下し、前記操作コードでプーリーを回転させることによりクラッチ装置を介して巻取軸を回転させてスクリーンを昇降可能とし、前記巻取軸内には該巻取軸にスクリーン引上げ方向の回転力を付与する付勢手段を設け、前記クラッチ装置は、操作コードのスクリーン引下げ方向の操作に基づくプーリーの回転を前記巻取軸に伝達するとともに、スクリーンの引下げ操作後は付勢手段の回転力による巻取軸の回転を阻止し、前記操作コードのスクリーン引上げ方向の操作に基づくプーリーの回転により、前記付勢手段の回転力に基づいて前記巻取軸をスクリーン引上げ方向に回転可能としたロールブラインドの昇降装置において、前記クラッチ装置は、前記巻取軸と一体に回転するクラッチケースと、前記プーリーのスクリーン引下げ方向の回転に基づいて該プーリーを前記クラッチケースと一体回転可能に連結し、前記プーリーのスクリーン引上げ方向の回転に基づいて、該プーリーを前記クラッチケースに対し自在に回転可能とする内部装置とを備え、前記付勢手段の回転力に基づくスクリーン引上げ動作時には、前記プーリーをスクリーン引上げ方向に自在に回転可能とし、前記内部装置は、前記クラッチケース内に形成された第一のクラッチ面と、前記プーリーの回転に基づいて軸方向に移動するクラッチスライダーと、前記プーリーと一体に回転するとともに前記第一のクラッチ面に係合可能とした第二のクラッチ面を備え、前記プーリーのスクリーン引下げ方向の回転に基づいて軸方向に移動する前記クラッチスライダーの動作に基づいて、前記第一のクラッチ面に第二のクラッチ面を係合させ、前記プーリーのスクリーン引上げ方向の回転に基づいて軸方向に移動する前記クラッチスライダーの動作に基づいて、前記第一のクラッチ面と第二のクラッチ面との係合を解除させる方向に移動するクラッチ部材とから構成した。
【００１１】
請求項２では、前記第一及び第二のクラッチ面は、互いに噛合い可能としたクラッチ歯で構成した。
請求項３では、前記プーリーとクラッチスライダーとの間には、前記第一及び第二のクラッチ面の係合が解除されたとき、所定値以下の回転トルクで互いに係合する係合手段を設けた。
【００１２】
【発明の実施の形態】
以下、この発明を具体化した一実施の形態を図面に従って説明する。図１に示すロールブラインドは、取付フレーム１の両端に支持ブラケット２ａ，２ｂが取着され、その支持ブラケット２ａ，２ｂ間に巻取軸３が回転可能に支持される。そして、前記取付フレーム１が取付ブラケット（図示しない）を介して窓の上枠等に取着される。
【００１３】
前記巻取軸３からスクリーン４が垂下され、そのスクリーン４の下端にウェイトバー（図示しない）が取着されている。そして、巻取軸３の回転に基づいてスクリーン４が昇降される。
【００１４】
前記巻取軸３内において、前記一方の支持ブラケット２ａ側には捩じりコイルスプリングで構成されるスプリングモータ（図示しない）が配設されている。そのスプリングモータの一端は支持ブラケット２ａに対し回転不能に支持され、他端は巻取軸３に固定されている。
【００１５】
そして、スプリングモータは巻取軸３のスクリーン引下げ方向の回転に基づいて蓄勢され、その蓄勢力に基づいてスクリーン４を引上げ可能となっている。
図２に示すように、前記他方の支持ブラケット２ｂにはプーリー５が回転可能に支持され、そのプーリー５にはボールチェーン状の操作コード６が掛装されている。そして、操作コード６の操作によりプーリー５が回転されると、クラッチ装置７を介して巻取軸３が回転されるようになっている。
【００１６】
前記クラッチ装置７の具体的構成を図２〜図４に従って説明すると、前記プーリー５は前記支持ブラケット２ｂに設けられた軸部８に、その外周面上を回転可能に支持される。
【００１７】
前記軸部８の中心部には四角孔が形成され、その四角孔には支軸９の基端部が嵌挿されている。すなわち、支軸９の基端部は四角軸状に形成され、その支軸９の基端部が前記四角孔に嵌挿され、さらに支持ブラケット２ｂの外側からネジ１０が螺合されている。従って、支軸９は支持ブラケット２ｂに回転不能に、かつ軸方向に移動不能に固定されている。
【００１８】
前記支軸９の中間部から先端部までの部分は、その径が３段階に縮小されるとともに、各部分の両側面が切除された断面俵型に形成されている。
前記プーリー５の先端部には、同プーリー５の中心に対しほぼ対称となる位置に係止片１１ａ，１１ｂが形成され、一方の係止片１１ｂの内周面にはクラッチボール１２を前記支軸９の軸方向に所定の範囲で移動可能に支持する断面半円状の係止溝１３が形成されている。
【００１９】
また、係止片１１ｂの外周面には、図７に示すように、前記支軸９の軸方向に沿って係合溝１４が形成されている。
前記プーリー５の係止片１１ａ，１１ｂの内側において、前記支軸９の中間部にはクラッチスライダー１５が回転不能に、かつ軸方向に移動可能に支持されている。
【００２０】
前記クラッチスライダー１５の軸方向中間部にはフランジ部１６が形成されるとともに、同クラッチスライダー１５の基端とそのフランジ部１６との間の外周面には、前記クラッチボール１２を周方向に案内する断面半円状のガイド溝１７が形成されている。
【００２１】
そして、そのガイド溝１７と前記係止溝１３との間に、前記クラッチボール１２が支持されて、プーリー５が回転されると、クラッチボール１２がクラッチスライダー１５の外周面上を、ガイド溝１７に沿って周方向に移動しながら、係止溝１３に沿って軸方向に移動するようになっている。
【００２２】
前記ガイド溝１７は、図１１及び図１２に示すように、クラッチスライダー１５の基端側に周方向に形成された第一の溝１７ａと、フランジ側に周方向に形成された第二の溝１７ｂと、第一及び第二の溝１７ａ，１７ｂを連通させる連通溝１７ｃとから構成される。
【００２３】
そして、プーリー５がスクリーン下降方向に回転されたとき、クラッチボール１２は第一の溝１７ａ内を矢印Ｂ方向に移動し、プーリー５がスクリーン引上げ方向に回転されたとき、クラッチボール１２は第二の溝１７ｂ内を矢印Ａ方向に移動する。
【００２４】
また、クラッチボール１２が第一の溝１７ａ内に位置する状態から、プーリー５がスクリーン引上げ方向に回転されると、クラッチボール１２は第一の溝１７ａ内で矢印Ａ方向に移動した後、連通溝１７ｃを経て第二の溝１７ｂ内に移動する。
【００２５】
また、クラッチボール１２が第二の溝１７ｂ内に位置する状態から、プーリー５がスクリーン引下げ方向に回転されると、クラッチボール１２は第二の溝１７ｂ内で矢印Ｂ方向に移動した後、連通溝１７ｃを経て第一の溝１７ａ内に移動する。
【００２６】
前記係止溝１３の長さは、クラッチボール１２が前記第一の溝１７ａあるいは第二の溝１７ｂ内を移動するとき、第一及び第二の溝１７ａ，１７ｂと連通溝１７ｃとが合流する部分に形成された屈曲部１７ｄをクリア可能とした長さに形成されている。
【００２７】
また、クラッチボール１２が第一の溝１７ａと第二の溝１７ｂとの間で移動するとき、クラッチスライダー１５とクラッチボール１２とは、係止溝１３によるクラッチボール１２の移動範囲を超えて軸方向に相対移動するため、図５及び図８に示すように、クラッチスライダー１５が軸方向に移動するようになっている。
【００２８】
前記クラッチスライダー１５の先端部は、コイルスプリング１８、アーム１９を貫通してクラッチ部材２０の中心部に形成された嵌合孔２１に嵌合されている。
【００２９】
前記アーム１９は、クラッチスライダー１５の基端部を挿通可能とした筒型に形成され、その基端側に形成された係止片１９ａが、図７及び図１０に示すように、前記プーリー５の係合溝１４に嵌挿されている。
【００３０】
従って、アーム１９は前記プーリー５と一体に回転されるとともに、プーリー５に対し軸方向に移動可能に支持されている。
前記コイルスプリング１８は、前記クラッチスライダー１５のフランジ部１６と、前記アーム１９の先端部内側面との間に配設され、そのフランジ部１６を支点としてアーム１９を前記クラッチ部材２０に向かって付勢している。
【００３１】
前記クラッチスライダー１５の先端には掛止部２２が形成され、その掛止部２２がクラッチ部材２０の先端面に係合して、クラッチスライダー１５とクラッチ部材２０との最大離間距離を設定している。従って、前記コイルスプリング１８の付勢力により、クラッチ部材２０はクラッチスライダー１５に対し常に最大離間距離に位置するように付勢されている。
【００３２】
また、前記クラッチスライダー１５が軸方向に移動すると、アーム１９及びクラッチ部材２０がクラッチスライダー１５と一体に軸方向に移動するようになっている。
【００３３】
前記クラッチ部材２０の基端部には、前記アーム１９の先端面に対向する係合面が形成され、その係合面にはアーム１９側に向かって突出する係合突部２３が形成されている。
【００３４】
また、前記アーム１９の先端面には、図６に示すように、同アーム１９がスクリーン下降方向に回転されたとき前記係合突部２３に係合する係合凹部２３ｂが形成されている。従って、アーム１９がスクリーン下降方向に回転されたとき、クラッチ部材２０がアーム１９と一体に回転されるようになっている。
【００３５】
前記クラッチ部材２０の先端外周部には、軸方向に突出するクラッチ歯２４が形成されている。
前記クラッチ部材２０の先端側において、前記支軸９にはスプリングプーリー２５が回転可能に支持され、そのスプリングプーリー２５の基端側には前記クラッチ歯２４に噛合可能としたクラッチ歯２６が形成されている。
【００３６】
前記スプリングプーリー２５の先端側において、前記支軸９にはドラム２７が回転不能に嵌合され、そのドラム２７の外周面には捩じりコイルスプリング２８が装着されている。
【００３７】
前記捩じりコイルスプリング２８のスプリングプーリー２５側の端部は、支軸９の軸方向に突出するように折り曲げられて係合端２９が形成され、図５に示すように、その係合端２９がスプリングプーリー２５の先端面に嵌合されている。
【００３８】
そして、スプリングプーリー２５がスクリーン引下げ方向に回転されるとき、捩じりコイルスプリング２８とドラム２７との摩擦力が軽減されて、捩じりコイルスプリング２８がスプリングプーリー２５とともに回転し、スプリングプーリー２５がスクリーン引上げ方向に回転されるとき、捩じりコイルスプリング２８とドラム２７との摩擦力が増大して、スプリングプーリー２５の回転が阻止されるようになっている。
【００３９】
前記スプリングプーリー２５、捩じりコイルスプリング２８及びドラム２７は、ほぼ円筒状のクラッチケース３０内に収容され、そのケース３０の基端部は、前記プーリー５の先端部を覆う位置まで延設されている。
【００４０】
前記スプリングプーリー２５の周囲において、前記クラッチケース３０の内周面には前記スプリングプーリー２５のクラッチ歯２６と重なるクラッチ歯３１が形成され、前記クラッチ部材２０のクラッチ歯２４がスプリングプーリー２５のクラッチ歯２６と噛合うとき、同時にクラッチケース３０のクラッチ歯３１に噛合うようになっている。
【００４１】
従って、クラッチ部材２０のクラッチ歯２４がスプリングプーリー２５及びクラッチケース３０のクラッチ歯２６，３１に噛合っている状態で、クラッチ部材２０がスクリーン下降方向に回転されると、スプリングプーリー２５及びクラッチケース３０が一体に回転される。
【００４２】
前記クラッチケース３０の外周面には、前記巻取軸３が嵌着され、同クラッチケース３０と巻取軸３とが一体に回転するようになっている。
前記クラッチケース３０の先端部には、ロータリーダンパー３２が収容され、そのロータリーダンパー３２の入力軸３３は、前記支軸９の先端に回転不能に嵌合され、ダンパーケース３４が前記クラッチケース３０に嵌着されている。
【００４３】
前記ロータリーダンパー３２は、入力軸３３に入力される回転速度が高くなるほど大きな制動力を発生する直動型オイルダンパーで構成され、巻取軸３の回転速度を一定速度以下に抑制するように動作する。
【００４４】
次に、上記のように構成されたロールブラインドの動作を説明する。
スクリーン４の引上げ操作の後に、操作コード６をスクリーン下降方向に操作するとき、図１２（ａ）に示すように、クラッチボール１２はクラッチスライダー１５の第二の溝１７ｂ内にある状態から矢印Ｂ方向に移動する。
【００４５】
すると、図１２（ｂ）〜同図（ｆ）に示すように、クラッチボール１２は第二の溝１７ｂから連通溝１７ｃを経て第一の溝１７ａ内に移動し、その第一の溝１７ａ内を移動する。
【００４６】
このとき、クラッチボール１２の第二の溝１７ｂから第一の溝１７ａへの移動にともなってクラッチスライダー１５が軸方向に移動し、クラッチスライダー１５とともにアーム１９及びクラッチ部材２０が軸方向に移動して、図８〜図１０に示す状態から図５〜図７に示す状態となり、クラッチ部材２０のクラッチ歯２４がスプリングプーリー２５及びクラッチケース３０のクラッチ歯２６，３１に噛合う。
【００４７】
この状態では、プーリー５の回転によりアーム１９が回転され、アーム１９の回転にともなってクラッチ部材２０が回転され、クラッチ部材２０の回転にともなってスプリングプーリー２５及びクラッチケース３０が回転され、巻取軸３がスクリーン下降方向に回転される。
【００４８】
この結果、操作コード６のスクリーン下降方向への引き出し動作を続けることによりスクリーン４が下降するとともに、巻取軸３内のスプリングモータが蓄勢される。
【００４９】
スクリーン４を所望位置まで下降させた後、操作コード６を手放すと、スプリングモータの付勢力により、巻取軸３にはスクリーン引上げ方向の回転力が作用する。
【００５０】
すると、その回転力はクラッチケース３０からクラッチ部材２０を経て、スプリングプーリー２５に伝達される。スプリングプーリー２５にスクリーン引上げ方向の回転力が作用すると、捩じりコイルスプリング２８とドラム２７との摩擦力が増大して、同スプリングプーリー２５の回転が阻止される。
【００５１】
従って、操作コード６を手放すと、スクリーン４が所望位置に吊下支持される。
スクリーン４を引上げるために、操作コード６をスクリーン下降操作の場合とは逆方向に引くと、図１１（ａ）に示すように、クラッチボール１２はプーリー５の回転に基づいて第一の溝１７ａ内を矢印Ａ方向に移動する。
【００５２】
すると、図１１（ｂ）〜同図（ｆ）に示すように、クラッチボール１２は連通溝１７ｃから第二の溝１７ｂ内に案内され、第二の溝１７ｂ内を移動する状態となる。
【００５３】
このとき、クラッチボール１２の第一の溝１７ａから第二の溝１７ｂへの移動にともなってクラッチスライダー１５が軸方向に移動し、クラッチスライダー１５とともにアーム１９及びクラッチ部材２０が軸方向に移動して、図５〜図７に示す状態から図８〜図１０に示す状態となり、クラッチ部材２０のクラッチ歯２４がスプリングプーリー２５及びクラッチケース３０のクラッチ歯２６，３１との噛合いが解除される。
【００５４】
この状態では、スプリングモータの付勢力により巻取軸３にスクリーン引上げ方向の回転力が作用すると、その回転力はクラッチ部材２０に伝達されず、かつスプリングプーリー２５にも伝達されない。
【００５５】
従って、巻取軸３はスプリングモータの付勢力により回転されて、スクリーン４が引上げられる。そして、この状態は操作コード６を手放しても維持される。
また、スクリーン４の引上げ動作時に、操作コード６をさらに同方向へ引き下げても、クラッチボール１２は第二の溝１７ｂ内を周回する状態となり、クラッチ部材２０はスプリングプーリー２５及びクラッチケース３０に噛合うことなく空転するので、スクリーン４の引上げ動作に何ら影響を及ぼさない。
【００５６】
スクリーン４の引上げ動作を停止する場合には、操作コード６をスクリーン引下げ方向に操作すると、プーリー５の回転に基づいてクラッチボール１２が第二の溝１７ｂから第一の溝１７ａ内に移動し、クラッチスライダー１５及びクラッチ部材２０が軸方向に移動して、クラッチ部材２０とスプリングプーリー２５及びクラッチケース３０とが噛合う。
【００５７】
この結果、捩じりコイルスプリング２８とドラム２７との摩擦力が増大して、スクリーン４の引上げ動作が停止される。
上記のように構成されたロールブラインドの昇降装置では、次に示す作用効果を得ることができる。
【００５８】
（１）操作コード６をスクリーン下降方向へ引き出せば、巻取軸３をスクリーン下降方向に回転させて、スクリーン４を下降させることができる。
（２）操作コード６をスクリーン引上げ方向に僅かに引き出して、クラッチ部材２０とスプリングプーリー２５及びクラッチケース３０との噛合いを解除すれば、スプリングモータの付勢力によりスクリーン４を引上げることができる。
【００５９】
（３）スクリーン４の引上げ動作が開始されれば、操作コード６を手放してもスクリーン４の引上げ動作を継続させることができる。
（４）スクリーン４の引上げ動作時に、操作コード６をスクリーン引上げ方向に操作し続けても、プーリー５及びクラッチ部材２０が空転するので、スクリーン引上げ動作に支障を来すことがないとともに、クラッチ装置を破損することもない。
【００６０】
（５）スクリーン４の引上げ動作時に、操作コード６をスクリーン下降方向に操作すれば、スクリーン４の引上げ動作を停止させることができる。
上記実施の形態は、次に示すように変更することもできる。
・図１３に示すように、クラッチスライダー１５のフランジ部１６には、前記プーリー５に対向する側面に山形の突起３５が形成され、プーリー５の係止片１１ａの先端には、前記突起３５に係合可能とした山形の突起３６が形成されている。
【００６１】
前記突起３５，３６は、クラッチ部材２０とスプリングプーリー２５及びクラッチケース３０との噛合いが解除されるようにクラッチスライダー１５が移動したとき、図１４及び図１５に示すように、互いに係合可能となる。
【００６２】
この状態では、スプリングモーターの付勢力により巻取軸３とともにクラッチケース３０が回転されるとき、突起３５，３６が係合して、クラッチケース３０とプーリー５との摩擦によるプーリー５の回転が阻止される。
【００６３】
従って、スプリングモーターの付勢力によるスクリーン４の引上げ動作時には、プーリー５の回転を阻止して、操作コード６の無用な昇降を防止することができる。
【００６４】
なお、スクリーンの引上げ動作時に、クラッチ部材２０とスプリングプーリー２５及びクラッチケース３０との噛合いが解除された後、操作コード６をスクリーン引上げ方向に操作し続けた場合には、突起３６が突起３５を乗り越えて、プーリー５が回転される。
【００６５】
【発明の効果】
以上詳述したように、この発明はスクリーンの引上げ操作を簡便に行い得るとともに、操作コードの無用な操作による破損を未然に防止し得るロールブラインドの昇降装置を提供することができる。
【図面の簡単な説明】
【図１】一実施の形態のロールブラインドを示す正面図である。
【図２】クラッチ装置を示す断面図である。
【図３】クラッチ装置を示す分解斜視図である。
【図４】クラッチ装置を示す分解斜視図である。
【図５】クラッチ装置を示す断面図である。
【図６】クラッチ装置を示す正面図である。
【図７】クラッチ装置を示す底面図である。
【図８】クラッチ装置を示す断面図である。
【図９】クラッチ装置を示す正面図である。
【図１０】クラッチ装置を示す底面図である。
【図１１】クラッチボールの動作を示す説明図である。
【図１２】クラッチボールの動作を示す説明図である。
【図１３】クラッチ装置の別例を示す断面図である。
【図１４】クラッチ装置の別例を示す断面図である。
【図１５】クラッチ装置の別例を示す平面図である。
【符号の説明】
２ａ，２ｂ      支持ブラケット
３          巻取軸
４          スクリーン
５          プーリー
６          操作コード
７          クラッチ装置
【図１】
0003570926.tif 000002
【図２】
0003570926.tif 000003
【図３】
0003570926.tif 000004
【図４】
0003570926.tif 000005
【図５】
0003570926.tif 000006
【図６】
0003570926.tif 000007
【図７】
0003570926.tif 000008
【図８】
0003570926.tif 000009
【図９】
0003570926.tif 000010
【図１０】
0003570926.tif 000011
【図１１】
0003570926.tif 000012
【図１２】
0003570926.tif 000013
【図１３】
0003570926.tif 000014
【図１４】
0003570926.tif 000015
【図１５】
0003570926.tif 000016